(57)【特許請求の範囲】
【請求項１】
複数のアプリケーションソフトウエアに多重処理による動作を実行させることが可能であり、各アプリケーションソフトウエアは、その実行によってアプリケーション画面をディスプレイに表示すると共に、該アプリケーション画面に応じたユーザ操作によって所定の動作を実行するものである携帯電話機において、
５方向以上の操作が可能な操作キーと、
前記操作キーの５方向以上の操作の内、特定の４方向の操作に応じて、ディスプレイにアプリケーション画面が表示されているアプリケーションソフトウエアに所定動作を実行させる動作制御手段と、
前記５方向以上の操作の内、前記４方向以外の１或いは複数方向の操作に応じて、ディスプレイにアプリケーション画面が表示されているアプリケーションソフトウエアを、該操作によって特定される他のアプリケーションソフトウエアに切り換えるソフトウエア切換え制御手段
とを具えていることを特徴とする携帯電話機。
【請求項２】
前記操作キーは、上下左右の４方向の操作が可能であると共に斜め右上方向及び斜め左上方向の操作が可能であって、多重処理の対象となっている複数のアプリケーションソフトウエアは、所定の規則に従って順番づけられており、前記ソフトウエア切換え制御手段は、斜め右上方向の操作が行なわれる度に、ディスプレイに表示されているアプリケーションソフトウエアを該ソフトウエアよりも順番の大きい他のアプリケーションソフトウエア或いは順番の小さい他のアプリケーションソフトウエアに切り換える一方、斜め左上方向の操作が行なわれる度に、斜め右上方向の操作が行なわれたときとは逆に、ディスプレイに表示されているアプリケーションソフトウエアを該ソフトウエアよりも順番の小さい他のアプリケーションソフトウエア或いは順番の大きい他のアプリケーションソフトウエアに切り換える請求項１に記載の携帯電話機。
【請求項３】
複数のアプリケーション画面を互いに前後に重ねてディスプレイに表示することが可能であって、前記ソフトウエア切換え制御手段は、
斜め右上方向或いは斜め左上方向の操作が行なわれたとき、多重処理の対象となっている全てのアプリケーションソフトウエアのアプリケーション画面がディスプレイに表示されているか否かを判断する判断手段と、
多重処理の対象となっている全てのアプリケーションソフトウエアのアプリケーション画面がディスプレイに表示されていると判断された場合に、ディスプレイの最前面にアプリケーション画面が表示されているアプリケーションソフトウエアよりも順番が１だけ大きい或いは小さいアプリケーションソフトウエアのアプリケーション画面をディスプレイの最前面に移動させる第１画面制御手段と、多重処理の対象となっている全てのアプリケーションソフトウエアのアプリケーション画面がディスプレイに表示されていないと判断された場合に、ディスプレイの最前面にアプリケーション画面が表示されているアプリケーションソフトウエアよりも順番が１だけ大きい或いは小さいアプリケーションソフトウエアのアプリケーション画面をディスプレイの最前面に新たに表示させる第２画面制御手段
とを具えている請求項２に記載の携帯電話機。
【請求項４】
前記操作キーは、斜め右下方向或いは斜め左下方向の操作が可能であって、前記ソフトウエア切換え制御手段は、斜め右下方向或いは斜め左下方向の操作が行なわれたとき、ディスプレイの最前面に表示されているアプリケーション画面の表示を終了させる表示終了制御手段を具えている請求項３に記載の携帯電話機。
【発明の詳細な説明】
【０００１】
【発明の属する技術分野】
本発明は、複数のアプリケーションソフトウエア(以下、アプリケーションソフトという)に多重処理による動作を実行させることが可能な携帯電話機に関するものである。
【０００２】
【従来の技術】
近年の情報通信技術の発達によって、携帯電話機に持たせることの出来る機能が増大しており、電話通信機能やメール通信機能に加えて、インターネット上からダウンロードした音楽や動画を再生する機能、インターネット上のサイトにアクセスする機能等、多数の機能を有する携帯電話機が知られている。
この種の携帯電話機においては、メールを送受信するためのアプリケーションソフトや音楽を再生するためのアプリケーションソフト等、各種の機能を実現するための複数のアプリケーションソフトが内蔵メモリに格納されている。
該携帯電話機においては、ユーザが内蔵メモリに格納されている複数のアプリケーションソフトの中から所望の１つのアプリケーションソフトを選択する操作を行なうと、該アプリケーションソフトが起動されてアプリケーション画面がディスプレイに表示され、この状態で画面に応じた操作を行なうと、該アプリケーションソフトによって操作に応じた所定の動作が実行される。
例えば、ダウンロードした音楽を聴かんとする際には、音楽を再生するためのアプリケーションソフトＡを選択する操作を行なうことによって、該アプリケーションソフトＡを起動させて該ソフトＡのアプリケーション画面をディスプレイに表示させ、この状態で所定の再生開始操作を行なうことによって、アプリケーションソフトＡに音楽の再生動作を開始させることが出来る。
【０００３】
又、上記携帯電話機は、複数のアプリケーションソフトに多重処理による動作を実行させることが可能であって、上述のアプリケーションソフト選択操作を繰り返すことによって、複数のアプリケーションソフトを順次起動することが出来る。このとき、ディスプレイには、これら複数のアプリケーションソフトの内、１つのみのアプリケーションソフトのアプリケーション画面が表示され、この状態でユーザが画面に応じた操作を行なうと、前記１つのアプリケーションソフトによって操作に応じた所定の動作が実行される。続いて、ディスプレイにアプリケーション画面が表示されているアプリケーションソフトを前記起動された他のアプリケーションソフトに切り換えて、該ソフトのアプリケーション画面をディスプレイに表示させた後、画面に応じた操作を行なうと、切り換え後のアプリケーションソフトによって操作に応じた所定の動作が実行される。この様にして、複数のアプリケーションソフトに多重処理による動作を実行させることが出来る。
例えば、音楽を再生するためのアプリケーションソフトＡとメールを送受信するためのアプリケーションソフトＢとが起動された場合に、アプリケーションソフトＡのアプリケーション画面をディスプレイに表示させた状態で、所定の再生開始操作を行なうことによってアプリケーションソフトＡに音楽の再生動作を開始させた後、アプリケーションソフトＡをアプリケーションソフトＢに切り換えて該ソフトＢのアプリケーション画面をディスプレイに表示させ、この状態で文字入力操作を行なうことによってアプリケーションソフトＢにメール作成動作を実行させることが出来る。
【０００４】
【発明が解決しようとする課題】
しかしながら、従来の携帯電話機においては、ディスプレイにアプリケーション画面が表示されているアプリケーションソフトを他のアプリケーションソフトに切り換えんとする際、アプリケーションソフトに各種の動作を実行させる際に操作すべき４方向キーが用いられるため、アプリケーションソフトに各種の動作を実行させる際の操作と区別するために４方向キーに対する操作以外に１或いは複数の操作キーに対する操作を行なわねばならず、操作が煩雑である問題があった。
本発明の目的は、簡易な操作によって、ディスプレイにアプリケーション画面が表示されているアプリケーションソフトを所望のアプリケーションソフトに切り換えることが可能な携帯電話機を提供することである。
【０００５】
【課題を解決する為の手段】
本発明に係る携帯電話機は、複数のアプリケーションソフトウエアに多重処理による動作を実行させることが可能であり、各アプリケーションソフトウエアは、その実行によってアプリケーション画面をディスプレイに表示すると共に、該アプリケーション画面に応じたユーザ操作によって所定の動作を実行するものである。そして該携帯電話機は、特徴的構成において、
５方向以上の操作が可能な操作キーと、
前記操作キーの５方向以上の操作の内、特定の４方向の操作に応じて、ディスプレイにアプリケーション画面が表示されているアプリケーションソフトウエアに所定動作を実行させる動作制御手段と、
前記５方向以上の操作の内、前記４方向以外の１或いは複数方向の操作に応じて、ディスプレイにアプリケーション画面が表示されているアプリケーションソフトウエアを、該操作によって特定される他のアプリケーションソフトウエアに切り換えるソフトウエア切換え制御手段
とを具えている。
【０００６】
従来の携帯電話機は、例えば上下左右の４方向に押下操作が可能な４方向キーを具えており、該４方向キーに対する４方向の操作に応じて、各アプリケーションソフトが各種の所定動作を実行する。
そこで、本発明の携帯電話機においては、５方向以上の操作が可能な操作キーが配備され、該操作キーに対する特定の４方向の操作に応じて、ディスプレイにアプリケーション画面が表示されているアプリケーションソフトに所定動作を実行させる一方、前記４方向以外の１或いは複数方向の操作に応じて、ディスプレイにアプリケーション画面が表示されているアプリケーションソフトを、該操作によって特定される他のアプリケーションソフトに切り換える。
本発明に係る携帯電話機によれば、上述の如く、操作キーに対する操作のみの簡易な操作によって、ディスプレイにアプリケーション画面が表示されているアプリケーションソフトを所望のアプリケーションソフトに切り換えることが出来る。
【０００７】
具体的には、前記操作キーは、上下左右の４方向の操作が可能であると共に斜め右上方向及び斜め左上方向の操作が可能であって、多重処理の対象となっている複数のアプリケーションソフトウエアは、所定の規則に従って順番づけられており、前記ソフトウエア切換え制御手段は、斜め右上方向の操作が行なわれる度に、ディスプレイに表示されているアプリケーションソフトウエアを該ソフトウエアよりも順番の大きい他のアプリケーションソフトウエア或いは順番の小さい他のアプリケーションソフトウエアに切り換える一方、斜め左上方向の操作が行なわれる度に、斜め右上方向の操作が行なわれたときとは逆に、ディスプレイに表示されているアプリケーションソフトウエアを該ソフトウエアよりも順番の小さい他のアプリケーションソフトウエア或いは順番の大きい他のアプリケーションソフトウエアに切り換える。
【０００８】
上記具体的構成においては、多重処理の対象となっている複数のアプリケーションソフトは、所定の規則に従って順番づけられている。例えば、起動された順番やアプリケーションソフトの識別番号に従って順番づけられている。
そして、操作キーが上下左右の４方向に操作されたときに、該操作に応じて、アプリケーションソフトが各種の所定動作を実行する。
これに対し、操作キーが斜め右上方向に操作されたときには、ディスプレイにアプリケーション画面が表示されているアプリケーションソフトが、該ソフトよりも順番の大きい他のアプリケーションソフト或いは順番の小さい他のアプリケーションソフトに切り換えられる。例えば、多重処理の対象となっている複数のアプリケーションソフトが起動された順番に従って順番づけられている場合は、ディスプレイに表示されているアプリケーションソフトが、該ソフトの次に起動されたアプリケーションソフトに切り換えられる。
【０００９】
又、操作キーが斜め左上方向に操作されたときには、ディスプレイにアプリケーション画面が表示されているアプリケーションソフトが、操作キーが斜め右上方向に操作されたときとは逆に、該ソフトよりも順番の小さい他のアプリケーションソフト或いは順番の大きい他のアプリケーションソフトに切り換えられる。操作キーが斜め右上方向に操作されたときにディスプレイに表示されているアプリケーションソフトが該ソフトの次に起動されたアプリケーションソフトに切り換えられる上述の例では、ディスプレイに表示されているアプリケーションソフトは、該アプリケーションソフトの１つ前に起動されたアプリケーションソフトに切り換えられる。
上記具体的構成によれば、上述の如く、ディスプレイに表示されているアプリケーションソフトを順番が増大する方向及び減小する方向の何れの方向にも切り換えることが出来るので、多重処理の対象となっているアプリケーションソフトの数が増大した場合に、一方向のみに切換えが可能な携帯電話機に比べて短時間で、ディスプレイに表示されているアプリケーションソフトを所望のアプリケーションソフトに切り換えることが出来る。
【００１０】
又、具体的には、複数のアプリケーション画面を互いに前後に重ねてディスプレイに表示することが可能であって、前記ソフトウエア切換え制御手段は、
斜め右上方向或いは斜め左上方向の操作が行なわれたとき、多重処理の対象となっている全てのアプリケーションソフトウエアのアプリケーション画面がディスプレイに表示されているか否かを判断する判断手段と、
多重処理の対象となっている全てのアプリケーションソフトウエアのアプリケーション画面がディスプレイに表示されていると判断された場合に、ディスプレイの最前面にアプリケーション画面が表示されているアプリケーションソフトウエアよりも順番が１だけ大きい或いは小さいアプリケーションソフトウエアのアプリケーション画面をディスプレイの最前面に移動させる第１画面制御手段と、多重処理の対象となっている全てのアプリケーションソフトウエアのアプリケーション画面がディスプレイに表示されていないと判断された場合に、ディスプレイの最前面にアプリケーション画面が表示されているアプリケーションソフトウエアよりも順番が１だけ大きい或いは小さいアプリケーションソフトウエアのアプリケーション画面をディスプレイの最前面に新たに表示させる第２画面制御手段
とを具えている。
【００１１】
上記具体的構成においては、多重処理の対象となっている全てのアプリケーションソフトのアプリケーション画面が互いに前後に重ねてディスプレイに表示されている状態で操作キーが斜め右上方向或いは斜め左上方向に操作された場合は、ディスプレイの最前面に表示されているアプリケーションソフトよりも順番が１だけ大きい或いは小さいアプリケーションソフトのアプリケーション画面がディスプレイの最前面に移動する。
これに対し、一部のみのアプリケーションソフトのアプリケーション画面がディスプレイに表示されている状態で前記操作キーが斜め右上方向或いは斜め左上方向に操作された場合は、ディスプレイの最前面に表示されているアプリケーションソフトよりも順番が１だけ大きい或いは小さいアプリケーションソフトのアプリケーション画面が新たに表示される。
【００１２】
更に具体的には、前記操作キーは、斜め右下方向或いは斜め左下方向の操作が可能であって、前記ソフトウエア切換え制御手段は、斜め右下方向或いは斜め左下方向の操作が行なわれたとき、ディスプレイの最前面に表示されているアプリケーション画面の表示を終了させる表示終了制御手段を具えている。
【００１３】
上記具体的構成においては、前記操作キーが斜め右下方向或いは斜め左下方向に操作されたとき、ディスプレイの最前面に表示されているアプリケーション画面の表示が終了する。この結果、操作キーが操作される前に複数のアプリケーション画面が互いに重ねて表示されていた場合には、前記表示が終了したアプリケーション画面の１つ後ろに表示されていたアプリケーション画面がディスプレイの最前面に位置することになる。
【００１４】
【発明の効果】
本発明に係る携帯電話機によれば、簡易な操作によって、ディスプレイにアプリケーション画面が表示されているアプリケーションソフトを所望のアプリケーションソフトに切り換えることが出来る。
【００１５】
【発明の実施の形態】
以下、本発明の実施の形態につき、図面に沿って具体的に説明する。
本発明に係る携帯電話機は、図１に示す如く前面ケース(11)と背面ケース(12)を組み合わせてなる扁平なケーシング(１)を具え、該ケーシング(１)の頭部にアンテナ(13)が突設されている。
前面ケース(11)の表面には、上端部に、スピーカを内蔵した受話部(20)が設けられる一方、下端部に、マイクロフォンを内蔵した送話部(２)が設けられている。
又、前面ケース(11)の表面には、種々の情報を表示するためのディスプレイ(14)が配備されると共に、複数の操作キーからなるキー入力装置(15)が配備されている。
【００１６】
上記携帯電話機の内蔵メモリ(図示省略)には、複数の機能を実現するための複数のアプリケーションソフトが格納されており、前記キー入力装置(15)は、後述のアプリケーション選択画面を表示させる際に操作すべきファンクションキー(150)を具えている。
又、上記携帯電話機は、後述の如く起動された複数のアプリケーションソフトに多重処理による動作を実行させることが可能であると共に、複数のアプリケーションソフトのアプリケーション画面を互いに前後方向に重ねて前記ディスプレイ(14)に表示することが可能であって、前面ケース(11)の表面には、上下左右方向、斜め右上方向、斜め左上方向、斜め右下方向、斜め左下方向、及びケーシング(１)の前面に対して垂直な方向の９方向に押下操作が可能な多方向キー(３)が配備されている。多方向キー(３)を上下左右方向或いは垂直方向に押下することによって、その時点でディスプレイ(14)の最前面にアプリケーション画面が表示されているアプリケーションソフトに該押下操作に応じた所定動作を実行させることが可能である。一方、多方向キー(３)を斜め右上方向、斜め左上方向、斜め右下方向或いは斜め左下方向に押下することによって、ディスプレイ(14)の最前面にアプリケーション画面が表示されているアプリケーションソフトを該押下操作に応じた他のアプリケーションソフトに切り換えることが可能である。
【００１７】
図２は、上記携帯電話機の電気的構成を表わしている。図示の如く、デュープレクサ(16)に対して並列に受信回路(17)及び送信回路(18)が接続されており、アンテナ(13)によって受信された信号は、デュープレクサ(16)を経て受信回路(17)に供給され、受話信号が復調される。該受話信号は、制御回路(10)を経てスピーカ(21)へ供給されて、放音される。又、マイクロフォン(22)に入力された送話信号は、制御回路(10)を経て送信回路(18)へ供給され、変調を受ける。変調を受けた送話信号は、デュープレクサ(16)を経てアンテナ(13)から送信される。
上記制御回路(10)には、上記ディスプレイ(14)、キー入力装置(15)及び多方向キー(３)が接続されると共に、複数のアプリケーションソフトが格納された上記メモリ(19)が接続されている。
【００１８】
上記携帯電話機においては、上記メモリ(19)に９つのアプリケーションソフトＡ〜Ｉが格納されている場合に、ユーザがキー入力装置(15)のファンクションキー(150)を押下すると、図３(ａ)の如く、９つのアプリケーションソフトＡ〜Ｉの中から１つのアプリケーションソフトを選択するためのアプリケーション選択画面がディスプレイ(14)に表示される。該選択画面には、９つのアプリケーションソフトＡ〜Ｉの識別画像が表示されている。
続いて、ユーザが多方向キー(３)を上下左右の４方向に押下すると、該操作に応じて、１つの識別画像の周囲を囲む太枠が９つアプリケーションソフトＡ〜Ｉの識別画像の間で移動する。この様にして、同図(ｂ)の如く太枠をアプリケーションソフトＡの識別画像まで移動させ、この状態でユーザが多方向キー(３)を垂直方向に押下すると、アプリケーションソフトＡがメモリ(19)から読み出されて起動される。又、同図(ｃ)の如く、アプリケーションソフトＡのアプリケーション画面(４)がディスプレイ(14)の表示領域の上部及び中央部の略全域に表示されると共に、アプリケーションソフトＡが起動されたことを表わすアイコン(40)がディスプレイ(14)の表示領域の下部に表示される。又、アプリケーションソフトＡのアイコン(40)の周囲には、アプリケーションソフトＡのアプリケーション画面(４)がディスプレイ(14)の最前面に表示されていることを表わす太枠が表示される。
【００１９】
この状態でユーザが再びキー入力装置(15)のファンクションキー(150)を押下すると、同図(ｄ)の如く、アプリケーション選択画面がディプレイ(14)に表示されると共に、該選択画面に起動されたアプリケーションソフトＡのアイコン(40)が表示される。
次に、ユーザが多方向キー(３)を上下左右の４方向に操作することによって、識別画像を囲む太枠を同図(ｅ)の如くアプリケーションソフトＥの識別画像まで移動させ、この状態で多方向キー(３)を垂直方向に押下すると、アプリケーションソフトＥがメモリ(19)から読み出されて起動される。又、同図(ｆ)の如く、アプリケーションソフトＥのアプリケーション画面(４)がアプリケーションソフトＡのアプリケーション画面(４)の前に重ねて表示されると共に、アプリケーションソフトＥのアイコン(40)がアプリケーションソフトＡのアイコン(40)の右側に表示される。又、同図(ｃ)の如くアプリケーションソフトＡのアイコン(40)の周囲を囲っていた太枠が、同図(ｆ)の如くアプリケーションソフトＥのアイコン(40)に移動する。尚、図３(ｆ)においては、便宜上、２つのアプリケーション画面(４)(４)が互いの位置を上下左右にずらして表示されているが、実際には、２つのアプリケーション画面は互いの位置を上下左右に一致させて表示される。
【００２０】
上述の如く、キー入力装置(15)のファンクションキー(150)を押下する操作、多方向キー(３)を上下左右の４方向に押下する操作、及び多方向キー(３)を垂直方向に押下する操作を繰り返すことによって、メモリ(19)に格納されている９つのアプリケーションソフトの内、複数のアプリケーションソフトを順次起動させることが出来る。そして、ディスプレイ(14)には、起動されたアプリケーションソフトのアプリケーション画面が順次、後ろから前に重ねて表示されると共に、起動されたアプリケーションソフトのアイコンが順次、左から右に並べて表示されることになる。又、アプリケーションソフトが起動される度に、アイコンを囲む太枠がその時点で起動されたアプリケーションソフトのアイコンに移動することになる。
【００２１】
図９は、上述のアプリケーションソフト起動動作を実現するために上記制御回路(10)が実行する手続を表わしている。
図示の如く、先ずステップＳ１では、キー入力装置(15)のファンクションキー(150)が押下されたか否かを判断し、ノーと判断された場合はステップＳ１にて同じ判断を繰り返す一方、イエスと判断された場合はステップＳ２に移行して、メモリ(19)に格納されている９つアプリケーションソフトの内、既に起動された１以上のアプリケーションソフトが存在するか否かを判断し、ノーと判断された場合はステップＳ３に移行して、図３(ａ)の如くアプリケーション選択画面をディスプレイ(14)に表示した後、ステップＳ５に移行する。これに対し、既に起動された１以上のアプリケーションソフトが存在してステップＳ２にてイエスと判断された場合は、ステップＳ４に移行して、図３(ｄ)の如くアプリケーション選択画面をディスプレイ(14)に表示すると共に、該選択画面に既に起動されたアプリケーションソフトのアイコン(40)を表示した後、ステップＳ５に移行する。
【００２２】
ステップＳ５では、多方向キー(３)が上下左右の何れかの方向に押下されたか否かを判断し、ノーと判断された場合はステップＳ５にて同じ判断を繰り返す一方、イエスと判断された場合はステップＳ６に移行して、多方向キー(３)に対する前記押下操作に応じて、アプリケーションソフトの識別画像の周囲を囲む太枠を移動させる。
続いてステップＳ７では、多方向キー(３)が垂直方向に押下されたか否かを判断し、ノーと判断された場合はステップＳ５に戻る一方、イエスと判断された場合はステップＳ８にてアプリケーション選択画面の表示を終了する。次にステップＳ９にて、前記太枠で囲まれている識別画像に対応するアプリケーションソフトをメモリ(19)から読み出して起動した後、ステップＳ１０では、図３(ｃ)或いは(ｆ)の如く、前記読み出したアプリケーションソフトのアプリケーション画面(４)及びアイコン(40)をディスプレイ(14)に表示すると共に、該アイコン(40)の周囲に太枠を表示して、ステップＳ１に戻る。
上記手続によって、上述のアプリケーションソフト起動動作が実現される。
【００２３】
図４乃至図８は、アプリケーションソフトＡ〜Ｃがこの順で起動された後、多方向キー(３)が斜め右上方向、斜め左上方向或いは斜め右下方向に押下されることによってディスプレイ(14)に表示される画面を表わしている。尚、図４(ａ)〜(ｃ)、図５(ａ)(ｂ)、図６(ｂ)〜(ｄ)及び図７(ｂ)〜(ｄ)においては、図３(ｆ)と同様に、便宜上、２つ或いは３つのアプリケーション画面が互いの位置を上下左右にずらして表示されているが、実際には、これらのアプリケーション画面は互いの位置を上下左右に一致させて表示される。
【００２４】
図４(ａ)の如くこれらのアプリケーションソフトＡ〜Ｃのアプリケーション画面(４)(４)(４)がこの順で後ろから前に重ねてディスプレイ(14)に表示されている状態で、ユーザが多方向キー(３)を斜め左上方向に押下すると、アプリケーションソフトＣよりも１つ前に起動されたアプリケーションソフトＢのアプリケーション画面(４)が同図(ｂ)の如くディスプレイ(14)の最前面に移動すると共に、同図(ａ)の如くアプリケーションソフトＣのアイコン(40)の周囲を囲っていた太枠が同図(ｂ)の如くアプリケーションソフトＢのアイコン(40)に移動する。
【００２５】
この状態で、ユーザが再び多方向キー(３)を斜め左上方向に押下すると、アプリケーションソフトＢよりも１つ前に起動されたアプリケーションソフトＡのアプリケーション画面(４)が同図(ｃ)の如くディスプレイ(14)の最前面に移動すると共に、アイコンの周囲を囲む太枠がアプリケーションソフトＡのアイコン(40)に移動する。
この状態で更に多方向キー(３)を斜め左上方向に押下すると、最後に起動されたアプリケーションソフトＣのアプリケーション画面(４)が同図(ａ)の如くディスプレイ(14)の最前面に移動すると共に、アイコンの周囲を囲む太枠が同図(ａ)の如くアプリケーションソフトＣのアイコン(40)に移動する。
【００２６】
この様に、起動された全てのアプリケーションソフトのアプリケーション画面がディスプレイ(14)に重ねて表示されている状態で多方向キー(３)が斜め左上方向に押下されると、その時点でディスプレイ(14)の最前面に表示されているアプリケーションソフトが最初に起動されたものでない場合には、その度に、該アプリケーションソフトよりも１つ前に起動されたアプリケーションソフトのアプリケーション画面(４)がディスプレイ(14)の最前面に移動すると共に、アイコンの周囲を囲む太枠が該アプリケーションソフトのアイコン(40)に移動することになる。一方、ディスプレイ(14)の最前面に表示されているアプリケーションソフトが最初に起動されたものである場合には、最後に起動されたアプリケーションソフトのアプリケーション画面(４)がディスプレイ(14)の最前面に移動すると共に、アイコンの周囲を囲む太枠が該アプリケーションソフトのアイコン(40)に移動することになる。
【００２７】
又、図４(ｃ)の如くアプリケーションソフトＡのアプリケーション画面(４)がディスプレイ(14)の最前面に表示されている状態でユーザが多方向キー(３)を斜め右上方向に押下すると、アプリケーションソフトＡの次に起動されたアプリケーションソフトＢのアプリケーション画面(４)が同図(ｂ)の如くディスプレイ(14)の最前面に移動すると共に、アイコンの周囲を囲む太枠がアプリケーションソフトＢのアイコン(40)に移動する。
この状態で、ユーザが再び多方向キー(３)を斜め右上方向に押下すると、アプリケーションソフトＢの次に起動されたアプリケーションソフトＣのアプリケーション画面(４)が同図(ａ)の如くディスプレイ(14)の最前面に移動すると共に、アイコンの周囲を囲む太枠がアプリケーションソフトＣのアイコン(40)に移動する。
この状態で更に多方向キー(３)を斜め右上方向に押下すると、最初に起動されたアプリケーションソフトＡのアプリケーション画面(４)が同図(ｃ)の如くディスプレイ(14)の最前面に移動すると共に、アイコンの周囲を囲む太枠がアプリケーションソフトＡのアイコン(40)に移動する。
【００２８】
この様に、起動された全てのアプリケーションソフトのアプリケーション画面がディスプレイ(14)に重ねて表示されている状態で多方向キー(３)が斜め右上方向に押下されると、その時点でディスプレイ(14)の最前面に表示されているアプリケーションソフトが最後に起動されたものでない場合には、その度に、該アプリケーションソフトの次に起動されたアプリケーションソフトのアプリケーション画面(４)がディスプレイ(14)の最前面に移動すると共に、アイコンの周囲を囲む太枠が該アプリケーションソフトのアイコン(40)に移動することになる。一方、ディスプレイ(14)の最前面に表示されているアプリケーションソフトが最後に起動されたものである場合には、最初に起動されたアプリケーションソフトのアプリケーション画面(４)がディスプレイ(14)の最前面に移動すると共に、アイコンの周囲を囲む太枠が該アプリケーションソフトのアイコン(40)に移動することになる。
【００２９】
又、図５(ａ)の如くアプリケーションソフトＡ〜Ｃのアプリケーション画面(４)(４)(４)がこの順で後ろから前に重ねてディスプレイ(14)に表示されている状態で、ユーザが多方向キー(３)を斜め右下方向に押下すると、同図(ｂ)の如くアプリケーションソフトＣのアプリケーション画面(４)の表示が終了して、アプリケーションソフトＣの１つ前に起動されたアプリケーションソフトＢのアプリケーション画面(４)がディスプレイ(14)の最前面に位置することとなると共に、同図(ａ)の如くアプリケーションソフトＣのアイコン(40)の周囲を囲っていた太枠が同図(ｂ)の如くアプリケーションソフトＢのアイコン(40)に移動する。
【００３０】
この状態で、ユーザが再び多方向キー(３)を斜め右下方向に押下すると、同図(ｃ)の如くアプリケーションソフトＢのアプリケーション画面(４)の表示が終了して、アプリケーションソフトＢの１つ前に起動されたアプリケーションソフトＡのアプリケーション画面(４)がディスプレイ(14)の最前面に位置することとなると共に、アイコンの周囲を囲む太枠がアプリケーションソフトＡのアイコン(40)に移動する。
【００３１】
この様に、起動されたアプリケーションソフトの内、全て或いは一部の複数のアプリケーションソフトのアプリケーション画面がディスプレイ(14)に重ねて表示されている状態で多方向キー(３)が斜め右下方向に押下されると、その度に、その時点でディスプレイ(14)の最前面に表示されているアプリケーション画面(４)の表示が終了して、該アプリケーションソフトの１つ前に起動されたアプリケーションソフトのアプリケーション画面(４)が最前面に位置することとなると共に、アイコンを囲む太枠が該アプリケーションソフトのアイコン(40)に移動することになる。
【００３２】
又、図６(ａ)の如くアプリケーションソフトＡ〜Ｃの内、アプリケーションソフトＡのみのアプリケーション画面(４)がディスプレイ(14)に表示されている状態で、ユーザが多方向キー(３)を斜め右上方向に押下すると、アプリケーションソフトＡの次に起動されたアプリケーションソフトＢのアプリケーション画面(４)が同図(ｂ)の如くディスプレイ(14)の最前面に表示されると共に、同図(ａ)の如くアプリケーションソフトＡのアイコンの周囲を囲っていた太枠が同図(ｂ)の如くアプリケーションソフトＢのアイコン(40)に移動する。
この状態で、ユーザが再び多方向キー(３)を斜め右上方向に押下すると、アプリケーションソフトＢの次に起動されたアプリケーションソフトＣのアプリケーション画面(４)が同図(ｃ)の如くディスプレイ(14)の最前面に表示されると共に、アイコンの周囲を囲む太枠がアプリケーションソフトＣのアイコン(40)に移動する。
又、同図(ａ)の如くアプリケーションソフトＡのみのアプリケーション画面(４)がディスプレイ(14)に表示されている状態で、ユーザが多方向キー(３)を斜め左上方向に押下すると、最後に起動されたアプリケーションソフトＣが同図(ｄ)の如くディスプレイ(14)の最前面に表示されると共に、アイコンの周囲を囲む太枠がアプリケーションソフトＣのアイコン(40)に移動する。
【００３３】
又、アプリケーションソフトＡ〜Ｃの内、図７(ａ)の如くアプリケーションソフトＣのみのアプリケーション画面(４)がディスプレイ(14)に表示されている状態で、ユーザが多方向キー(３)を斜め左上方向に押下すると、アプリケーションソフトＣの１つ前に起動されたアプリケーションソフトＢのアプリケーション画面(４)が同図(ｂ)の如くディスプレイ(14)の最前面に表示されると共に、同図(ａ)の如くアプリケーションソフトＣのアイコンの周囲を囲っていた太枠が同図(ｂ)の如くアプリケーションソフトＢのアイコン(40)に移動する。
この状態で、ユーザが再び多方向キー(３)を斜め左上方向に押下すると、アプリケーションソフトＢの１つ前に起動されたアプリケーションソフトＡのアプリケーション画面(４)が同図(ｃ)の如くディスプレイ(14)の最前面に表示されると共に、アイコンの周囲を囲む太枠がアプリケーションソフトＡのアイコン(40)に移動する。
又、同図(ａ)の如くアプリケーションソフトＣのみのアプリケーション画面(４)がディスプレイ(14)に表示されている状態で、ユーザが多方向キー(３)を斜め右上方向に押下すると、最初に起動されたアプリケーションソフトＡがディスプレイ(14)の最前面に表示されると共に、アイコンの周囲を囲む太枠がアプリケーションソフトＡのアイコン(40)に移動する。
【００３４】
この様に、起動された複数のアプリケーションソフトの内、一部の１或いは複数のアプリケーションソフトのアプリケーション画面がディスプレイ(14)に表示されている状態で多方向キー(３)が斜め右上方向に押下されると、その時点でディスプレイ(14)の最前面に表示されているアプリケーションソフトが最後に起動されたものでない場合には、その度に、図６(ｂ)及び(ｃ)の如く、該アプリケーションソフトの次に起動されたアプリケーションソフトのアプリケーション画面(４)がディスプレイ(14)の最前面に表示されると共に、アイコンの周囲を囲む太枠が該アプリケーションソフトのアイコン(40)に移動することになる。一方、ディスプレイ(14)の最前面に表示されているアプリケーションソフトが最後に起動されたものである場合には、図７(ｄ)の如く、最初に起動されたアプリケーションソフトのアプリケーション画面(４)がディスプレイ(14)の最前面に表示されると共に、アイコンの周囲を囲む太枠が該アプリケーションソフトのアイコン(40)に移動することになる。
【００３５】
又、多方向キー(３)が斜め左上方向に押下されると、その時点でディスプレイ(14)の最前面に表示されているアプリケーションソフトが最初に起動されたものでない場合には、その度に、図７(ｂ)及び(ｃ)の如く、該アプリケーションソフトの１つ前に起動されたアプリケーションソフトのアプリケーション画面(４)がディスプレイ(14)の最前面に表示されると共に、アイコンの周囲を囲む太枠が該アプリケーションソフトのアイコン(40)に移動することになる。一方、ディスプレイ(1)の最前面に表示されているアプリケーションソフトが最初に起動されたものである場合には、図６(ｄ)の如く、最後に起動されたアプリケーションソフトのアプリケーション画面(４)がディスプレイ(14)の最前面に表示されると共に、アイコンの周囲を囲む太枠が該アプリケーションソフトのアイコン(40)に移動することになる。
【００３６】
更に、アプリケーションソフトＡ〜Ｃの内、図８(ａ)の如くアプリケーションソフトＡのみのアプリケーション画面(４)がディスプレイ(14)に表示されている状態で、ユーザが多方向キー(３)を斜め右下方向に押下すると、アプリケーションソフトＡのアプリケーション画面(４)の表示が終了して、同図(ｂ)の如く待ち受け画面(41)がディスプレイ(14)に表示される。
この状態で、ユーザが多方向キー(３)を左右方向に押下すると、該操作に応じてアイコンを囲む太枠がアプリケーションソフトＡ〜Ｃのアイコンの間で移動し、同図(ｂ)の如くアプリケーションソフトＢのアイコン(40)の周囲が太枠で囲まれている状態で多方向キー(３)を斜め右上方向に押下すると、待ち受け画面(41)の表示が終了して、同図(ｄ)の如くアプリケーションソフトＢのアプリケーション画面(４)がディスプレイ(14)に表示される。
この様に、起動された複数のアプリケーションソフトの内、１つのみのアプリケーションソフトのアプリケーション画面(４)がディスプレイ(14)に表示されている状態で多方向キー(３)が斜め右下方向に押下されると、該アプリケーション画面(４)の表示が終了して、待ち受け画面(41)がディスプレイ(14)に表示される。この状態で、多方向キー(３)が左右方向に押下されると、該操作に応じてアイコンを囲む太枠が前記起動された複数のアプリケーションソフトのアイコンの間で移動し、該太枠が何れかのアプリケーションソフトのアイコン上に位置する状態で多方向キー(３)が斜め右上方向に押下されると、待ち受け画面(41)の表示が終了して、アイコンが太枠で囲まれているアプリケーションソフトのアプリケーション画面(４)がディスプレイ(14)に表示されることになる。
【００３７】
図１０乃至図１３は、上述のアプリケーション画面切換え動作を実現するために上記制御回路(10)が実行する手続を表わしている。
図１０に示す如く、先ずステップＳ１１では、多方向キー(３)が斜め方向に押下されたか否かを判断し、ノーと判断された場合はステップＳ１１にて同じ判断を繰り返す一方、イエスと判断された場合はステップＳ１２に移行して、多方向キー(３)が押下された方向を判別する。
【００３８】
多方向キー(３)の押下方向が斜め右上方向である場合は、図１１のステップＳ１３に移行して、待ち受け画面がディスプレイに表示されているか否かを判断し、イエスと判断された場合はステップＳ１４に移行して、待ち受け画面の表示を終了し、次にステップＳ１５に移行して、アイコンの周囲が太枠で囲まれたアプリケーションソフトのアプリケーション画面をディスプレイに表示した後、ステップＳ１１に戻る。上述の如く、図８(ｃ)に示す画面がディスプレイ(14)に表示されている状態で多方向キー(３)が斜め右上方向に押下された場合に、同図(ｄ)の如く、アプリケーションソフトＢのアプリケーション画面(４)がディスプレイ(14)に表示されることになる。
【００３９】
一方、図１１のステップＳ１３にてノーと判断された場合は、ステップＳ１６に移行して、起動された全てのアプリケーションソフトのアプリケーション画面がディスプレイに表示されているか否かを判断する。ここで、ノーと判断された場合はステップＳ１７に移行して、ディスプレイの最前面に表示されているアプリケーションソフトが最後に起動されたものであるか否かを判断し、ノーと判断された場合は、ステップＳ１８に移行して、ディスプレイの最前面に表示されているアプリケーションソフトの次に起動されたアプリケーションソフトのアプリケーション画面をディスプレイの最前面に表示すると共に、アイコンを囲む太枠を該アプリケーションソフトのアイコンに移動させた後、図１０のステップＳ１１に戻る。上述の如く、図６(ａ)に示す画面がディスプレイ(14)に表示されている状態で多方向キー(３)が斜め右上方向に押下された場合に、同図(ｂ)の如く、アプリケーションソフトＡの次に起動されたアプリケーションソフトＢのアプリケーション画面(４)がディスプレイ(14)の最前面に表示されると共にアイコンを囲む太枠がアプリケーションソフトＢのアイコン(40)に移動し、この状態で多方向キー(３)が斜め右上方向に押下された場合に、同図(ｃ)の如く、アプリケーションソフトＢの次に起動されたアプリケーションソフトＣのアプリケーション画面(４)がディスプレイ(14)の最前面に表示されると共にアイコンを囲む太枠がアプリケーションソフトＣのアイコン(40)に移動することになる。
【００４０】
図１１のステップＳ１７にてイエスと判断された場合は、ステップＳ１９に移行して、最初に起動されたアプリケーションソフトのアプリケーション画面をディスプレイの最前面に表示すると共に、アイコンを囲む太枠を該アプリケーションソフトのアイコンに移動させた後、図１０のステップＳ１１に戻る。上述の如く、図７(ａ)に示す画面がディスプレイ(14)に表示されている状態で多方向キー(３)が斜め右上方向に押下された場合に、同図(ｂ)の如く、最初に起動されたアプリケーションソフトＡのアプリケーション画面(４)がディスプレイ(14)の最前面に表示されると共に、アイコンを囲む太枠がアプリケーションソフトＡのアイコン(40)に移動することになる。
【００４１】
起動された全てのアプリケーションソフトのアプリケーション画面がディスプレイに表示されている場合は、ステップＳ１６にてイエスと判断されてステップＳ２０に移行し、ディスプレイの最前面に表示されているアプリケーションソフトが最後に起動されたものであるか否かを判断し、ノーと判断された場合は、ステップＳ２１に移行して、ディスプレイの最前面に表示されているアプリケーションソフトの次に起動されたアプリケーションソフトのアプリケーション画面をディスプレイの最前面に移動させて表示すると共に、アイコンを囲む太枠を該アプリケーションソフトのアイコンに移動させた後、図１０のステップＳ１１に戻る。上述の如く、図４(ｃ)に示す画面がディスプレイ(14)に表示されている状態で多方向キー(３)が斜め右上方向に押下された場合に、同図(ｂ)の如く、アプリケーションソフトＡの次に起動されたアプリケーションソフトＢのアプリケーション画面(４)がディスプレイ(14)の最前面に移動すると共にアイコンを囲む太枠がアプリケーションソフトＢのアイコン(40)に移動し、この状態で多方向キー(３)が斜め右上方向に押下された場合に、同図(ｃ)の如く、アプリケーションソフトＢの次に起動されたアプリケーションソフトＣのアプリケーション画面(４)がディスプレイ(14)の最前面に移動すると共にアイコンを囲む太枠がアプリケーションソフトＣのアイコン(40)に移動することになる。
【００４２】
図１１のステップＳ２０にてイエスと判断された場合は、ステップＳ２２に移行して、最初に起動されたアプリケーションソフトのアプリケーション画面をディスプレイの最前面に移動させて表示すると共に、アイコンの太枠を該アプリケーションソフトのアイコンに移動させた後、図１０のステップＳ１１に戻る。上述の如く、図４(ａ)に示す画面がディスプレイ(14)に表示されている状態で多方向キー(３)が斜め右上方向に押下された場合に、同図(ｃ)の如く、最初に起動されたアプリケーションソフトＡのアプリケーション画面(４)がディスプレイ(14)の最前面に表示されると共に、アイコンの太枠がアプリケーションソフトＡのアイコン(40)に移動することになる。
【００４３】
多方向キー(３)の押下方向が斜め左上方向である場合は、図１０のステップＳ１２から図１２のステップＳ２３に移行して、起動された全てのアプリケーションソフトのアプリケーション画面がディスプレイに表示されているか否かを判断する。ここで、ノーと判断された場合はステップＳ２４に移行して、ディスプレイの最前面に表示されているアプリケーションソフトが最初に起動されたものであるか否かを判断し、ノーと判断された場合は、ステップＳ２５に移行して、ディスプレイの最前面に表示されているアプリケーションソフトの１つ前に起動されたアプリケーションソフトのアプリケーション画面をディスプレイの最前面に表示すると共に、アイコンを囲む太枠を該アプリケーションソフトのアイコンに移動させた後、図１０のステップＳ１１に戻る。上述の如く、図７(ａ)に示す画面がディスプレイ(14)に表示されている状態で多方向キー(３)が斜め左上方向に押下された場合に、同図(ｂ)の如く、アプリケーションソフトＣの１つ前に起動されたアプリケーションソフトＢのアプリケーション画面(４)がディスプレイ(14)の最前面に表示されると共にアイコンを囲む太枠がアプリケーションソフトＢのアイコン(40)に移動し、この状態で多方向キー(３)が斜め左上方向に押下された場合に、同図(ｃ)の如く、アプリケーションソフトＢの１つ前に起動されたアプリケーションソフトＡのアプリケーション画面(４)がディスプレイ(14)の最前面に表示されると共にアイコンを囲む太枠がアプリケーションソフトＡのアイコン(40)に移動することになる。
【００４４】
図１２のステップＳ２４にてイエスと判断された場合は、ステップＳ２６に移行して、最後に起動されたアプリケーションソフトのアプリケーション画面をディスプレイの最前面に表示すると共に、アイコンを囲む太枠を該アプリケーションソフトのアイコンに移動させた後、図１０のステップＳ１１に戻る。上述の如く、図６(ａ)に示す画面がディスプレイ(14)に表示されている状態で多方向キー(３)が斜め左上方向に押下された場合に、同図(ｂ)の如く、最後に起動されたアプリケーションソフトＣのアプリケーション画面(４)がディスプレイ(14)の最前面に表示されると共に、アイコンを囲む太枠がアプリケーションソフトＣのアイコン(40)に移動することになる。
【００４５】
起動された全てのアプリケーションソフトのアプリケーション画面がディスプレイに表示されている場合は、図１２のステップＳ２３にてイエスと判断されてステップＳ２７に移行し、ディスプレイの最前面に表示されているアプリケーションソフトが最初に起動されたものであるか否かを判断し、ノーと判断された場合は、ステップＳ２８に移行して、ディスプレイの最前面に表示されているアプリケーションソフトの１つ前に起動されたアプリケーションソフトのアプリケーション画面をディスプレイの最前面に移動させて表示すると共に、アイコンを囲む太枠を該アプリケーションソフトのアイコンに移動させた後、図１０のステップＳ１１に戻る。上述の如く、図４(ａ)に示す画面がディスプレイ(14)に表示されている状態で多方向キー(３)が斜め左上方向に押下された場合に、同図(ｂ)の如く、アプリケーションソフトＣの１つ前に起動されたアプリケーションソフトＢのアプリケーション画面(４)がディスプレイ(14)の最前面に移動すると共にアイコンを囲む太枠がアプリケーションソフトＢのアイコン(40)に移動し、この状態で多方向キー(３)が斜め左上方向に押下された場合に、同図(ｃ)の如く、アプリケーションソフトＢの１つ前に起動されたアプリケーションソフトＡのアプリケーション画面(４)がディスプレイ(14)の最前面に移動すると共にアイコンを囲む太枠がアプリケーションソフトＡのアイコンに移動することになる。
【００４６】
図１２のステップＳ２７にてイエスと判断された場合は、ステップＳ２９に移行して、最後に起動されたアプリケーションソフトのアプリケーション画面をディスプレイの最前面に移動させて表示すると共に、アイコンの太枠を該アプリケーションソフトのアイコンに移動させた後、図１０のステップＳ１１に戻る。上述の如く、図４(ｃ)に示す画面がディスプレイ(14)に表示されている状態で多方向キー(３)が斜め左上方向に押下された場合に、同図(ａ)の如く、最後に起動されたアプリケーションソフトＣのアプリケーション画面(４)がディスプレイ(14)の最前面に移動すると共に、アイコンの太枠がアプリケーションソフトＣのアイコン(40)に移動することになる。
【００４７】
多方向キー(３)の押下方向が斜め右下方向である場合は、図１０のステップＳ１２から図１３のステップＳ３０に移行して、起動された複数のアプリケーションソフトの内、１つのアプリケーションソフトのみのアプリケーション画面がディスプレイに表示されているか否かを判断し、ノーと判断された場合はステップＳ３１に移行して、ディスプレイの最前面に表示されているアプリケーション画面の表示を終了すると共に、該アプリケーションソフトの１つ前に起動されたアプリケーションソフトのアイコンに移動させた後、図１０のステップＳ１１に戻る。上述の如く、図５(ａ)に示す画面がディスプレイ(14)に表示されている状態で多方向キー(３)が斜め右下方向に押下された場合に、最前面に表示されているアプリケーションソフトＣのアプリケーション画面(４)の表示が終了して、同図(ｂ)の如く、アプリケーションソフトＣの１つ前に起動されたアプリケーションソフトＢのアプリケーション画面(４)がディスプレイ(14)の最前面に位置することになると共に、アイコンを囲む太枠がアプリケーションソフトＢのアイコン(40)に移動することになる。又、この状態で多方向キー(３)が斜め右下方向に押下された場合に、最前面に表示されているアプリケーションソフトＢのアプリケーション画面(４)の表示が終了して、同図(ｃ)の如く、アプリケーションソフトＢの１つ前に起動されたアプリケーションソフトＡのアプリケーション画面(４)がディスプレイ(14)の最前面に位置することになると共に、アイコンを囲む太枠がアプリケーションソフトＡのアイコンに移動することになる。
【００４８】
起動された複数のアプリケーションソフトの内、１つのみのアプリケーションソフトのアプリケーション画面がディスプレイに表示されている場合は、図１３のステップＳ３０にてイエスと判断されてステップＳ３２に移行し、ディスプレイに表示されている１つのアプリケーション画面の表示を終了する。続いてステップＳ３３にて、待ち受け画面をディスプレイに表示した後、図１０のステップＳ１１に戻る。上述の如く、図８(ａ)に示す画面がディスプレイ(14)に表示されている状態で多方向キー(３)が斜め右下方向に押下された場合に、アプリケーションソフトＡのアプリケーション画面(４)の表示が終了して、同図(ｂ)の如く、待ち受け画面(41)がディスプレイ(14)に表示されることになる。
【００４９】
本発明に係る携帯電話機においては、上述の如く、多方向キー(３)を斜め右上方向、斜め左上方向或いは斜め右下方向に押下する簡易な操作によって、ディスプレイ(14)の最前面にアプリケーション画面が表示されているアプリケーションソフトを、起動された複数のアプリケーションソフトの内、所望のアプリケーションソフトに切り換えることが出来る。
又、図４及び図７に示す如く、多方向キー(３)を斜め左上方向に押下することによって、ディスプレイ(14)の最前面に表示されているアプリケーションソフトを該ソフトの１つ前に起動されたアプリケーションソフトに切り換えることが出来ると共に、多方向キー(３)を斜め右上方向に押下することによって、ディスプレイ(14)の最前面に表示されているアプリケーションソフトを該ソフトの次に起動されたアプリケーションソフトに切り換えることが出来る。この様に、ディスプレイ(14)の最前面に表示されているアプリケーションソフトを起動順序の早い方向或いは遅い方向の何れの方向にも切り換えることが可能であるので、多重処理の対象となっているアプリケーションソフトの数が増大した場合に、一方向にのみ切換え可能な携帯電話機に比べて短時間で、ディスプレイ(14)の最前面に表示されているアプリケーションソフトを所望のアプリケーションソフトに切り換えることが出来る。
更に、起動された複数のアプリケーションソフトのアイコン(40)が起動順序に従って左から右に並べてディスプレイ(14)に表示されているので、多方向キー(３)を斜め右上方向及び斜め左上方向の何れの方向に操作すれば、より短い時間でアプリケーションソフトを所望のアプリケーションソフトに切り換えることが出来るかを判断することが出来る。
【図面の簡単な説明】
【図１】本発明に係る携帯電話機を前面側から見た斜視図である。
【図２】上記携帯電話機の電気的構成を表わすブロック図である。
【図３】アプリケーションの起動時にディスプレイの画面が変化している例を表わす図である。
【図４】起動された全てのアプリケーションソフトのアプリケーション画面がディスプレイに表示されている状態で多方向キーが斜め右上方向或いは斜め左上方向に押下されることによってディスプレイの画面が変化している例を表わす図である。
【図５】起動された複数のアプリケーションソフトの内、全て或いは一部の複数のアプリケーションソフトのアプリケーション画面がディスプレイに表示されている状態で多方向キーが斜め右下方向に押下されることによってディスプレイの画面が変化している例を表わす図である。
【図６】最初に起動されたアプリケーションソフトのアプリケーション画面がディスプレイに表示されている状態で多方向キーが斜め右上方向或いは斜め左上方向に押下されることによってディスプレイの画面が変化している例を表わす図である。
【図７】最後に起動されたアプリケーションソフトのアプリケーション画面がディスプレイに表示されている状態で多方向キーが斜め右上方向或いは斜め左上方向に押下されることによってディスプレイの画面が変化している例を表わす図である。
【図８】起動された複数のアプリケーションソフトの内、１つのみのアプリケーションソフトのアプリケーション画面がディスプレイに表示されている状態で多方向キーが斜め右下方向に押下されることによってディスプレイの画面が変化している例を表わす図である。
【図９】上記携帯電話機において実行されるアプリケーションソフト起動手続を表わすフローチャートである。
【図１０】上記携帯電話機において実行されるアプリケーション画面切換え手続を表わすフローチャートである。
【図１１】図１０の第１の分図である。
【図１２】図１０の第２の分図である。
【図１３】図１０の第３の分図である。
【符号の説明】
(１)  ケーシング
(11)  前面ケース
(12)  背面ケース
(13)  アンテナ
(14)  ディスプレイ
(15)  キー入力装置
(３)  多方向キー
【図１】
0004121289.tif 000002
【図２】
0004121289.tif 000003
【図３】
0004121289.tif 000004
【図４】
0004121289.tif 000005
【図５】
0004121289.tif 000006
【図６】
0004121289.tif 000007
【図７】
0004121289.tif 000008
【図８】
0004121289.tif 000009
【図９】
0004121289.tif 000010
【図１０】
0004121289.tif 000011
【図１１】
0004121289.tif 000012
【図１２】
0004121289.tif 000013
【図１３】
0004121289.tif 000014